(57)【要約】【課題】湿布の角がなくなるように、容易かつ適切に湿布を切断することができる湿布切断補助具を提供すること。【解決手段】湿布を厚さ方向に挟持する一対の板状本体部２ａ，３ａと、前記板状本体部２ａ，３ａの外縁部２ｄ，３ｄに設けられ、前記厚さ方向に挟持された湿布を切断する切断具を前記外縁部２ｄ，３ｄに沿って案内する外縁案内部２ｂ，２ｃ，３ｂ，３ｃとを備え、前記外縁案内部２ｂ，２ｃ，３ｂ，３ｃが、前記板状本体部２ａ，３ａの全周にわたって角のない曲線状に形成されていることを特徴とする。【選択図】図１
0003167104.tif 000002
【実用新案登録請求の範囲】
【請求項１】
湿布を厚さ方向に挟持する一対の板状本体部と、
前記板状本体部の外縁部に設けられ、前記厚さ方向に挟持された湿布を切断する切断具を前記外縁部に沿って案内する外縁案内部とを備え、
前記外縁案内部が、前記板状本体部の全周にわたって角のない曲線状に形成されていることを特徴とする湿布切断補助具。
【請求項２】
前記外縁案内部が、円形状に形成されていることを特徴とする請求項１に記載の湿布切断補助具。
【請求項３】
前記外縁案内部が、前記板状本体部の中心に対して外方にいくにしたがって、漸次薄肉になる薄肉部を備えることを特徴とする請求項１または請求項２に記載の湿布切断補助具。
【請求項４】
前記テーパー部の外縁が、前記板状本体部の厚さ方向に延びる平坦面であることを特徴とする請求項３に記載の湿布切断補助具。
【請求項５】
前記湿布を挟持した状態で前記板状本体部を互いに固定する固定部を備えることを特徴とする請求項１から請求項４のいずれか一項に記載の湿布切断補助具。
【請求項６】
前記固定部が、前記板状本体部に設けられた磁石を備えることを特徴とする請求項５に記載の湿布切断補助具。
【請求項７】
前記板状本体部の厚さ方向に延ばされて、前記磁石に着脱可能に取り付けられる鉄製の柱状部を備え、
前記板状本体部が、透明部材からなっていることを特徴とする請求項６に記載の湿布切断補助具。
【請求項８】
前記固定部が、前記板状本体部の周上に複数設けられており、
前記板状本体部の中心と、周上に隣り合う前記固定部とを通るそれぞれの仮想線のなす角が１８０°未満であることを特徴とする請求項５から請求項７のいずれか一項に記載の湿布切断補助具。
【請求項９】
前記板状本体部が、透明部材からなっていることを特徴とする請求項１から請求項８のいずれか一項に記載の湿布切断補助具。
【考案の詳細な説明】
【技術分野】
【０００１】
本考案は、湿布を切断する際に使用する湿布切断補助具に関する。
【背景技術】
【０００２】
従来、捻挫、打撲、腰痛および膝痛などの治療用として、または、痩身などのダイエット用として、種々の湿布が利用されている（例えば、特許文献１参照。）。
これらの湿布は、四角形状の本体シート部を備えているのが一般的である。そして、その本体シート部を患部などに貼り付けることによって、治療やダイエットに利用されるようになっている。
【０００３】
ここで、そのような本体シート部を患部に貼り続けていると、四角形の角が引っかかりやすくなるため、その角から剥がれやすくなってしまう。しかも、患部は同心状に広がることから、四角形状の本体シート部によって患部のすべてを覆った場合に、四角形の角の部分は不要であることが多い。
そのため、本体シート部をハサミなどによって円形に切断することが考えられる。
【０００４】
しかしながら、本体シート部は、薄いシート状に形成されているため、本体シート部を指で把持しても、本体シート部の把持されていない部位が、自重によって垂れ下がってしまい、切断しにくいという問題がある。
さらに、本体シート部に角が無くなるようにするためには、ハサミによる切断軌道線を曲線状にしなければならないため、全体をバランス良く綺麗に切ることも難しい。
【先行技術文献】
【特許文献】
【０００５】
【特許文献１】特開２０１０−１７９０７９号公報
【考案の概要】
【考案が解決しようとする課題】
【０００６】
本考案は、このような問題を解決するためになされたものであり、湿布の角がなくなるように、容易かつ適切に湿布を切断することができる湿布切断補助具を提供することを目的とする。
【課題を解決するための手段】
【０００７】
上記課題を解決するために、本考案は以下の手段を提供する。
本考案は、湿布を厚さ方向に挟持する一対の板状本体部と、前記板状本体部の外縁部に設けられ、前記厚さ方向に挟持された湿布を切断する切断具を前記外縁部に沿って案内する外縁案内部とを備え、前記外縁案内部が、前記板状本体部の全周にわたって角のない曲線状に形成されていることを特徴とする。
【０００８】
この考案においては、一対の板状本体部によって湿布が挟持される。そして、挟持された湿布が切断具によって切断される。このとき、外縁案内部によって、切断具が外縁部に沿って案内される。
これにより、湿布の角がなくなるように、容易かつ適切に湿布を切断することができる。できる。
【０００９】
また、本考案は、前記外縁案内部が、円形状に形成されていることを特徴とする。
【００１０】
この考案によれば、湿布を容易かつ確実に円形に切断することができる。。
【００１１】
また、本考案は、前記外縁案内部が、前記板状本体部の中心に対して外方にいくにしたがって、漸次薄肉になる薄肉部を備えることを特徴とする。
【００１２】
この考案によれば、切断具を薄肉部に当接させるという簡易な動作だけで、薄肉部の表面にならって切断具を外方に案内することができる。
【００１３】
また、本考案は、前記テーパー部の外縁が、前記板状本体部の厚さ方向に延びる平坦面であることを特徴とする。
【００１４】
この考案によれば、切断具を平坦面に当接させるという簡易な動作だけで、切断具の傾きを一定方向に合わせることができる。
【００１５】
また、本考案は、前記湿布を挟持した状態で前記板状本体部を互いに固定する固定部を備えることを特徴とする。
【００１６】
この考案によれば、湿布を確実に挟持することができる。。
【００１７】
また、本考案は、前記固定部が、前記板状本体部に設けられた磁石を備えることを特徴とする。
【００１８】
この考案によれば、板状本体部を容易かつ確実に固定することができる。。
【００１９】
また、本考案は、前記板状本体部の厚さ方向に延ばされて、前記磁石に着脱可能に取り付けられる鉄製の柱状部を備え、前記板状本体部が、透明部材からなっていることを特徴とする。
【００２０】
この考案によれば、図表や文字（メモ、名刺、絵、写真など）などを視認可能な状態で板状本体部を立てたまま保持することができる。すなわち、部品点数や種類を変えることなく、湿布切断補助具の利用のバリエーションを増やすことができる。
【００２１】
また、本考案は、前記固定部が、前記板状本体部の周上に複数設けられており、前記板状本体部の中心と、周上に隣り合う前記固定部とを通るそれぞれの仮想線のなす角が１８０°未満であることを特徴とする。
【００２２】
この考案によれば、固定部を通りかつ板状本体部の厚さ方向に延びる軸線回りに、板状本体部をスライド回転させるだけで、固定された板状本体部を容易に外すことができる。
【００２３】
また、本考案は、前記板状本体部が、透明部材からなっていることを特徴とする。
【００２４】
この考案によれば、板状本体部２ａ，３ａによって挟持されたものを外部から視認可能な状態にすることができ、飾りやメッセージなどとして利用することができる。
【考案の効果】
【００２５】
本考案によれば、湿布の角がなくなるように、容易かつ適切に湿布を切断することができる。
【図面の簡単な説明】
【００２６】
【図１】本考案の実施形態における湿布切断補助具を示す平面図である。
【図２】図１のＡ−Ａ線矢視断面図である。
【図３】図１の板状本体部の間に湿布を配した様子を示す断面図である。
【図４】図３の板状本体部を重ね合わせて固定した様子を示す断面図である。
【図５】図４の板状本体部を把持してハサミで湿布を切断する様子を示す説明図である。
【図６】図４のテーパー部にハサミの両刃を当接させる様子を示す説明図である。
【図７】図６のハサミの両刃がテーパー部によって案内される様子を示す説明図である。
【図８】図７の板状本体部の外の湿布を切断する様子を示す説明図である。
【図９】図８の板状本体部を取り外して、残された湿布を示す平面図である。
【図１０】図１の板状本体部の間に写真を配して柱状部によって立てた状態を示す斜視図である。
【考案を実施するための最良の形態】
【００２７】
（実施形態）
以下、本考案の実施形態における湿布切断補助具について、図面を参照して説明する。
図１および図２に示すように、湿布切断補助具１は、同サイズ・同形状の一対の板状本体部２ａ，３ａを備えている。板状本体部２ａ，３ａは、円形板状に形成されている。また、板状本体部２ａ，３ａは、透明部材からなっており、板状本体部２ａ，３ａの間に挟持されたものを外方から視認することができるようになっている。
さらに、板状本体部２ａ，３ａには、円形の複数の開口部７ａ，８ａ，７ｂ，８ｂが形成されている。具体的には、板状本体部２ａに開口部７ａ，８ａが形成され、板状本体部３ａに開口部７ｂ，８ｂが形成されている。
なお、開口部７ｂは、板状本体部３ａにおいて、開口部７ａと同サイズ・同形状・同位置に形成され、開口部８ｂは、板状本体部３ａにおいて、開口部８ａと同サイズ・同形状・同位置に形成されている。すなわち、開口部７ｂ，８ｂと、開口部７ａ，８ａとは、板状本体部２ａ，３ａの主面を互いに平行に配した状態で当該主面に対して面対称に形成されている。そのため、ここでは、開口部７ａ，８ａについてのみ説明し、開口部７ｂ，８ｂの説明は省略する。
【００２８】
開口部７ａ，８ａは、板状本体部２ａの周方向に隣り合わされて、２つ形成されている。また、板状本体部２ａの中心点Ｒに対する、開口部７ａ，８ａの設置角度は、４５°になっている。すなわち、開口部７ａの中心点と板状本体部２ａの中心点Ｒとを通る仮想線Ｅ１と、開口部８ａの中心点と板状本体部２ａの中心点Ｒとを通る仮想線Ｅ２とのなす角（劣角）θが、４５°になっている。
これにより、板状本体部２ａ，３ａを互いに厚さ方向Ｄに重ね合わせて、互いの回転位置を揃えると、開口部７ａ，７ｂの位置が一致し、開口部８ａ，８ｂの位置が一致するようになっている。
【００２９】
開口部７ａ，８ａ（７ｂ，８ｂ）には、円柱状の磁石４ａ，５ａ（４ｂ，５ｂ）が嵌め込まれている。磁石４ａ，５ａ（４ｂ，５ｂ）の厚さ寸法は、板状本体部２ａ（３ａ）の厚さ寸法と同一に設定されている。そのため、磁石４ａ，５ａ（４ｂ，５ｂ）の両端面は、板状本体部２ａ（３ａ）の両主面とそれぞれ面一になっている。
これにより、板状本体部２ａ，３ａを互いに厚さ方向Ｄに重ね合わせて、互いの回転位置を揃えると、磁力によって、磁石４ａ，４ｂが互いに固定され、磁石５ａ，５ｂが互いに固定されるようになっている。すなわち、磁石４ａ，５ａ（４ｂ，５ｂ）は、固定部として機能するものである。
【００３０】
また、板状本体部２ａ，３ａの外縁部２ｄ，３ｄには、テーパー部（薄肉部、外縁案内部）２ｂ，３ｂと、平坦面（外縁案内部）２ｃ，３ｃとが順に設けられている。これらテーパー部２ｂ，３ｂおよび平坦面２ｃ，３ｃは、板状本体部２ａ，３ａと一体に形成されている。すなわち、テーパー部２ｂ，３ｂおよび平坦面２ｃ，３ｃは、板状本体部２ａ，３ａの全周にわたって角のない曲線のみによって全体として曲線状に形成され、具体的には全体として円形状に形成されている。
テーパー部２ｂ，３ｂは、外縁部２ｄ，３ｄから板状本体部２ａ，３ａの径方向外方に延ばされている。そして、テーパー部２ｂ，３ｂは、板状本体部２ａ，３ａの中心点Ｒに対して径方向外方にいくにしたがって、厚さ寸法が漸次小さくなるように（漸次薄肉になるように）形成されている。これにより、板状本体部２ａ，３ａを重ね合わせて磁石４ａ，５ａ（４ｂ，５ｂ）によって固定させると、テーパー部２ｂ，３ｂが、全体として、径方向外方に向けられたすり鉢状になるように配置される。
【００３１】
平坦面２ｃ，３ｃは、テーパー部２ｂ，３ｂの径方向外方の先端（外縁）から、厚さ方向Ｄに延在して形成されている。また、平坦面２ｃ，３ｃは、板状本体部２ａ，３ａを重ね合わせて磁石４ａ，５ａ（４ｂ，５ｂ）によって固定させると、互いに面一になるように配置される。
また、湿布切断補助具１は、図２に示すように、円柱状の柱状部６を備えている。柱状部６は、鉄製の部材からなっており、磁石４ａ，５ａ（４ｂ，５ｂ）の両端面に着脱可能に取り付けられるようになっている。また、柱状部６は、磁石４ａ，５ａ（４ｂ，５ｂ）に取り付けられると、厚さ方向Ｄに向けられることにより、板状本体部２ａ，３ａが立てられた状態を保持するようになっている。
【００３２】
次に、このように構成された本実施形態における湿布切断補助具１の動作について説明する。
湿布切断補助具１は、四角形状の湿布を丸く切断する際の補助具として機能するとともに、図表や文字（メモ、名刺、絵、写真など）を飾っておくための保持具としても機能するものである。
最初に、湿布切断補助具１を切断の際の補助具として使用する場合について説明する。
まず、図３に示すように、板状本体部２ａ，３ａの間に四角形状の湿布Ｓを配して、板状本体部２ａ，３ａを重ね合わせる。そして、図４に示すように、磁石４ａ，４ｂが一致し、磁石５ａ，５ｂが一致するように、板状本体部２ａ，３ａの回転位置を揃える。このとき、磁石４ａ，４ｂおよび磁石５ａ，５ｂが磁力により互いに引かれ合い、これにより板状本体部２ａ，３ａが、湿布Ｓを挟持した状態で固定される。
【００３３】
さらに、図５および図６に示すように、板状本体部２ａ，３ａを左手で把持した状態で、右手で把持したハサミ（切断具）Ｇの両刃を、テーパー部２ｂ，３ｂに当接させる。そして、ハサミＧの両刃を、厚さ方向Ｄに互いに近づくように閉じていく。このとき、図７に示すように、ハサミＧの両刃は、テーパー部２ｂ，３ｂの表面にならって、径方向外方に案内されるとともに互いに閉じられていく。さらに、図８に示すように、ハサミＧの両刃を、その一方を平坦面２ｃ，３ｃに当接させた状態で互いに閉じて、湿布を切断する。なお、図８において、符号Ｓａは、四角い湿布のうち、板状本体部２ａ，３ａに挟持された部位を示しており、符号Ｓｂは、切断された部位を示している。
【００３４】
さらに、ハサミＧの両刃を、その一方を平坦面２ｃ，３ｃに当接させた状態で互いに開閉を繰り返し、平坦面２ｃ，３ｃに沿って進行させ、湿布Ｓを切断していく。このとき、ハサミＧの両刃のうちの一方を平坦面２ｃ，３ｃに当接させることにより、ハサミＧの両刃の進行が円上に案内され、切断軌道線が全体として円形状になる。すなわち、図９に示すように、板状本体部２ａ，３ａを取り外すと、四角形状だった湿布が円形状に切断されて円形の湿布Ｓａとなる。
【００３５】
次いで、湿布切断補助具１を保持具として使用する場合について説明する。
上記と同様にして、図１０に示すように、板状本体部２ａ，３ａの間に、写真Ｐなどを配して、板状本体部２ａ，３ａによって挟持する。このとき、板状本体部２ａ，３ａが透明部材からなっていることから、板状本体部２ａ，３ａによって挟持された写真Ｐが板状本体部２ａ，３ａの外方から視認できる状態になる。そして、写真Ｐの裏面側に配された磁石４ｂ，５ｂの一方に、柱状部６を取り付ける。これにより、柱状部６が板状本体部２ａ，３ａの厚さ方向Ｄに延ばされる。そして、板状本体部２ａ，３ａを立てた状態にすると、柱状部６によって、その立てた状態が保持される。これにより、板状本体部２ａ，３ａが立てられた状態のまま保持され、写真Ｐを飾ることができる。また、磁石４ｂ，５ｂの一方に取り付けられた柱状部６を取り外し、表面側に配された磁石４ａ，５ａの一方に付け替えることにより、容易に表裏を反転させることができる。 
また、柱状部６を利用することなく、板状本体部２ａ，３ａによって写真Ｐを挟持した状態で、冷蔵庫やホワイトボードなどの所定の面に磁石４ｂ，５ｂをくっつけることも可能である。これにより、写真Ｐを所定の面に保持することができる。また、所定の面に磁石４ａ，５ａをくっつけることにより、容易に表裏を反転させることができる。
【００３６】
以上より、本実施形態における湿布切断補助具１によれば、板状本体部２ａ，３ａによって湿布Ｓを挟持することにより、湿布Ｓのうち円形に残したい部位を面状に保持することができ、そのため板状本体部２ａ，３ａを指で把持しても、湿布Ｓのうち円形に残したい部位が自重により垂れ下がることを防止することができる。また、平坦面２ｃ，３ｃが、湿布Ｓの切断の際に、ハサミＧの両刃の進行を円上に案内することができる。
したがって、板状本体部２ａ，３ａを指で把持して、ハサミＧを平坦面２ｃ，３ｃに当接させるという簡易な動作だけで、湿布Ｓの角がなくなるように、容易かつ適切に湿布Ｓを切断することができる。
【００３７】
また、板状本体部２ａ，３ａが円形状に形成されていることから、テーパー部２ｂ，３ｂおよび平坦面２ｃ，３ｃを全体として容易に円形にすることができ、これにより、湿布Ｓを容易かつ確実に円形に切断することができる。
また、テーパー部２ｂ，３ｂが設けられていることから、ハサミＧの両刃を閉じるという簡易な動作だけで、ハサミＧの両刃をテーパー部２ｂ，３ｂの表面にならって径方向外方に案内することができ、湿布Ｓを容易かつ適切に切断することができる。
また、平坦面２ｃ，３ｃが設けられていることから、ハサミＧを平坦面２ｃ，３ｃに当接させるという簡易な動作だけで、ハサミＧの両刃の傾きを一定方向（厚さ方向Ｄ）に合わせることができ、湿布Ｓを容易かつ適切に切断することができる。
【００３８】
また、磁石４ａ，５ａ（４ｂ，５ｂ）が設けられていることから、板状本体部２ａ，３ａを容易かつ確実に固定することができる。
また、板状本体部２ａ，３ａが透明部材からなっていることから、板状本体部２ａ，３ａによって挟持されたものを飾ることができる。さらに、透明部材からなる板状本体部２ａ，３ａに磁石４ａ，５ａ（４ｂ，５ｂ）を設けることにより、板状本体部２ａ，３ａを容易に固定するだけでなく、写真Ｐなどを視認可能な状態で板状本体部２ａ，３ａを保持することができる。また、透明部材からなる板状本体部２ａ，３ａに、磁石４ａ，５ａ（４ｂ，５ｂ）と、これら磁石４ａ，５ａ（４ｂ，５ｂ）に取り付けられる柱状部６とを設けることにより、板状本体部２ａ，３ａを容易に固定するだけでなく、写真Ｐなどを視認可能な状態で板状本体部２ａ，３ａを立てたまま保持することができる。すなわち、部品点数や種類を変えることなく、湿布切断補助具１の利用のバリエーションを増やすことができる。
【００３９】
また、板状本体部２ａの中心点Ｒに対する、磁石４ａ，５ａ（４ｂ，５ｂ）の設置角度が、４５°になっていることから、磁石４ａ，５ａ（４ｂ，５ｂ）の中心点のいずれか一方を通りかつ厚さ方向Ｄに延びる軸線回りに、板状本体部２ａ，３ａをスライド回転させるだけで、固定された板状本体部２ａ，３ａを容易に外すことができる。すなわち、板状本体部２ａ，３ａの主面のうち、磁石４ａ，５ａ（４ｂ，５ｂ）が設けられていない広いエリアを厚さ方向Ｄから指で把持した状態で、板状本体部２ａ，３ａを面方向にズラすだけで、板状本体部２ａ，３ａを上記のようにスライド回転させることができ、固定された板状本体部２ａ，３ａを容易に外すことができる。
【００４０】
なお、本考案の技術範囲は上記実施形態に限定されるものではなく、本考案の趣旨を逸脱しない範囲において、種々の変更を加えることが可能である。
例えば、テーパー部２ｂ，３ｂおよび平坦面２ｃ，３ｃを全体として円形状としたが、これに限ることはなく、その形状は、全周にわたって角のない曲線状であれば適宜変更可能である。
また、本実施形態においては、円形状として真円としているが、これに限ることはなく、楕円や卵形など適宜変更可能である。すなわち、円形状とは、真円、楕円、卵形などを含むものとする。
また、円形状でなくても、多角形の角をＲ状に面取りした形でもよい。多角形とは、例えば、三角形・四角形・五角形・六角形などをいうものとする。
【００４１】
また、テーパー部２ｂ，３ｂを設けるとしたが、これらは省略することができる。この場合、板状本体部２ａ，３ａの外縁部２ｄ，３ｄが、厚さ方向Ｄに延びる平坦面（外縁案内部）となる。すなわち、この場合、外縁部２ｄ，３ｄと平坦面（外縁案内部）が兼用されることになる。
また、テーパー部２ｂ，３ｂが側面視して直線状に傾斜しているものとしているが、これに限ることはなく、曲線状に形成してもよい。例えば、テーパー部２ｂ，３ｂを、側面視して凸状に湾曲させてもよい。
また、平坦面２ｃ，３ｃを設けるとしたが、これに限ることはなく、これらは省略することができる。
また、テーパー部２ｂ，３ｂおよび平坦面２ｃ，３ｃを板状本体部２ａ，３ａと一体としているが、これに限ることはなく、別体としてもよい。すなわち、外縁部２ｄ，３ｄに、外縁案内部を取り付けるようにしてもよい。
【００４２】
また、磁石４ａ，５ａ（４ｂ，５ｂ）を設けるとしたが、これらは省略することができる。
また、磁石４ａ，５ａを設けるとともに、磁石４ｂ，５ｂを鉄製の部材に代えてもよい。
また、磁石４ａ，５ａ（４ｂ，５ｂ）を設けることなく、他の固定手段であってもよい。
また、磁石４ａ，５ａ（４ｂ，５ｂ）の設置場所、設置数は、適宜変更可能である。
また、磁石４ａ，５ａ（４ｂ，５ｂ）の設置角度を４５°としたが、これに限ることはなく、適宜変更可能である。さらに、磁石４ａ，５ａ（４ｂ，５ｂ）の設置角度を１８０°としてもよい。
【００４３】
また、切断具としてハサミＧを挙げているが、これに限ることはなく、カッターなど他の切断具であってもよい。
また、図８においては、ハサミＧの両刃のうち下方の刃のみを平坦面２ｃ，３ｃに当接させているが、これに限ることはなく、上方の刃のみを当接させたり、または、両刃を当接させたりしてもよい。
また、板状本体部２ａ，３ａが透明部材からなるものとしているが、これに限ることはなく、非透明部材であってもよい。なお、透明部材としては、板状本体部２ａ，３ａに挟持されたものが外方から視認される部材であれば何でもよく、半透明部材なども当然含まれる。
また、柱状部６を設けるとしたが、これは省略することができる。
また、柱状部６を複数設けることもできる。さらに、柱状部６の端面を傾斜させてもよい。これにより、板状本体部２ａ，３ａを立てて傾斜させた状態で保持することができる。
【符号の説明】
【００４４】
１  湿布切断補助具
２ａ，３ａ  板状本体部
２ｂ，３ｂ  テーパー部（薄肉部、外縁案内部）
２ｃ，３ｃ  平坦面（外縁案内部）
２ｄ，３ｄ  外縁部
４ａ，４ｂ，５ａ，５ｂ  磁石（固定部）
６  柱状部
Ｄ  厚さ方向
Ｅ１，Ｅ２  仮想線
Ｇ  切断具
Ｓ  湿布
【図１】
0003167104.tif 000003
【図２】
0003167104.tif 000004
【図３】
0003167104.tif 000005
【図４】
0003167104.tif 000006
【図５】
0003167104.tif 000007
【図６】
0003167104.tif 000008
【図７】
0003167104.tif 000009
【図８】
0003167104.tif 000010
【図９】
0003167104.tif 000011
【図１０】
0003167104.tif 000012